(57)【要約】【課題】第１面印字と第２面印字の倍率誤差偏差を最小にすることができる画像形成装置を提供する。【解決手段】１回の印字動作で両面印字を行う機能を有する画像形成装置において、１回目の印字の前後の記録紙長を計測する計測手段２３、２４と、その計測手段２３、２４で得られた情報を基に２回目の印字の書き込み倍率を演算する演算手段２６とを有する。【選択図】        図２
2004163545.tif 000002
【特許請求の範囲】
【請求項１】
１回の印字動作で両面印字を行う機能を有する画像形成装置において、１回目の印字の前後の記録紙長を計測する計測手段と、その計測手段で得られた情報を基に２回目の印字の書き込み倍率を演算する演算手段とを有することを特徴とする画像形成装置。
【請求項２】
請求項１記載の画像形成装置において、演算手段の演算結果を副走査方向の倍率に適用することを特徴とする画像形成装置。
【請求項３】
請求項１記載の画像形成装置において、演算手段の演算結果を主走査方向の倍率に適用することを特徴とする画像形成装置。
【請求項４】
請求項１記載の画像形成装置において、演算手段の演算結果を副走査、主走査の両方向の倍率に適用することを特徴とする画像形成装置。
【発明の詳細な説明】
【０００１】
【発明の属する技術分野】
本発明は、両面印字機能を有する電子写真記録方式を用いたデジタル複写機、ＦＡＸ、プリンタ等の画像形成装置に関し、特に両面印字時の画像倍率設定技術に関するものである。
【０００２】
【従来の技術】
近年、省資源の観点から両面印字を１回の印字動作中に行うことが可能な構成の画像形成装置が増えてきている。電子写真方式で記録する場合は、トナーを転写紙に固着させるために熱定着ユニットを通過させており、１回目の印字（＝第１面印字）がなされた記録紙は定着ユニットを通過後、記録紙が縮む傾向にある。
【０００３】
【発明が解決しようとする課題】
１回の印字動作中に２回目の印字（＝第２面印字）をさせるため、第１面印字された後、定着ユニットを通過した記録紙を、その後端から反転搬送経路へ搬送し再び第２面印字を行う構成の画像形成装置では、第１面印字で縮んだ記録紙に第２面印字の画像を第１面印字と同じ倍率で転写させると、２度目の定着ユニットを通過させることにより第１面より第２面は伸びた画像となり、第１面との等倍性が損なわれることになる。
【０００４】
そこで本発明は、第１面印字と第２面印字の倍率誤差偏差を最小にすることができる画像形成装置を提供することを目的とする。
【０００５】
【課題を解決するための手段】
上記目的を達成するために、請求項１記載の発明は、１回の印字動作で両面印字を行う機能を有する画像形成装置において、１回目の印字の前後の記録紙長を計測する計測手段と、その計測手段で得られた情報を基に２回目の印字の書き込み倍率を演算する演算手段とを有する画像形成装置を最も主要な特徴とする。
【０００６】
請求項２記載の発明は、請求項１記載の画像形成装置において、演算手段の演算結果を副走査方向の倍率に適用する画像形成装置を主要な特徴とする。
【０００７】
請求項３記載の発明は、請求項１記載の画像形成装置において、演算手段の演算結果を主走査方向の倍率に適用することを特徴とする画像形成装置。
【０００８】
請求項４記載の発明は、請求項１記載の画像形成装置において、演算手段の演算結果を副走査、主走査の両方向の倍率に適用する画像形成装置を主要な特徴とする。
【０００９】
【発明の実施の形態】
以下、図面により本発明の実施の形態を詳細に説明する。図１は本発明の実施の形態に係る画像形成装置の構成図である。以下、その構成を動作と併せて説明する。
【００１０】
給紙装置内の給紙ローラ１から繰り出された記録紙が、レジストセンサ２、レジストローラ３でレジスト調整され転写部に向けて繰り出される。一方、帯電ローラ４によりマイナス帯電された感光体５面上に露光装置６からのレーザー光７により静電潜像が形成され、この静電潜像は、現像ローラ８によりトナー像に変換される。このトナー像は、転写ローラ９により記録紙に転写され、その後、定着ローラ１０と加圧ローラ１１で形成されるニップ部にて熱定着される。そして定着後の記録紙は排紙部へ搬送される。これが第１面印字動作である。
【００１１】
第２面印字動作時は、第１面印字動作で排出された記録紙を、排紙センサ１３のオン／オフをトリガーに一旦停止させ、その後、排紙ローラ１２を逆転動作させて記録紙を、後端（第１面印字動作時における後端）から反転通紙経路へ送り出し、再給紙ローラ１４を経て再度給紙部のレジストローラ３に搬送して第２面印字を行う。
【００１２】
図２は本発明の実施の形態に係る画像形成装置の機能ブロック図である。本画像形成装置は、コントロール部２１、記録部２２を備え、さらに、レジストセンサ計測手段２３、排紙センサ計測手段２４、メモリ２５、演算手段２６、倍率変化手段２７を備えている。
【００１３】
印字する前の記録紙の先端から後端が抜けるまでのレジストセンサ２のオン時間をレジストセンサ計測手段２３でモニターし、コントロール部２１を介してメモリ２５にそのデータを保存する。また、第１面印字がなされ、定着部を通過した記録紙の先端から後端が抜けきるまでの排紙センサ１３のオン時間を排紙センサ計測手段２４でモニターし、コントロール部２１を介してメモリ２５にそのデータを保存する。
【００１４】
そして、第２面印字時に、先にメモリしたレジストセンサ２、排紙センサ１３のオン時間を基に演算手段２６を用いて記録紙の縮率を算出し、倍率変化手段２７でその得られた縮率を加味して倍率を変化させ、これを第２面印字に適用して、第２面の記録（印字）動作を記録部２２で行う。
【００１５】
図３は本発明のレジストセンサと排紙センサのタイミングチャートである。記録紙の第１面印字時、初期の記録紙長を、レジストローラ３の手前に配置されるレジストセンサ２のオン信号検出時間Ｔ１から検出し、これをメモリ２５に保存する。また第１面印字後に定着部を通過した後の記録紙長を、排紙部に配置されている排紙センサ１３のオン信号検出時間Ｔ２から検出し、これをメモリ２５に保存する。そして、演算手段２６で第１面印字後の記録紙の縮率をＴ２／Ｔ１として算出する。
【００１６】
図４は本発明の動作フローチャートである。ユーザーが両面印字の選択を行い、両面印字が選択されると（Ｓ１ではい）、第１面印字動作中にレジストセンサ２のオン時間Ｔ１を計測し（Ｓ２）、かつ記録紙が定着部通過後の排紙センサ１３のオン時間Ｔ２を計測して（Ｓ３）、第１面印字での記録紙の縮率を算出し、その算出値が１（伸縮していない時）ならば（Ｓ４ではい）、第２面印字の倍率を変化させることなく第２面印字動作を行う（Ｓ５）。
【００１７】
第１面印字での記録紙の縮率を算出し、その算出値が１でない時（伸縮している時）には（Ｓ４でいいえ）、第２面印字の倍率を、第１面印字で設定されている倍率に先に得られた記録紙の縮率を加味した倍率に設定し（Ｓ６）、倍率を適用する箇所（主走査方向、副走査方向、主＋副走査方向）を選択し（Ｓ７）、第２面印字を行う（Ｓ８）。また両面印字が選択されていなければ（Ｓ１でいいえ）、通常の印字動作を行う（Ｓ９）。なお、ここで選択したセンサは一例であり、別のセンサで代用しても構わない。また、印字倍率変化手段２７は公知の種種の技術が適用できる。
【００１８】
【発明の効果】
以上説明したように、本発明によれば、１回の印字動作で両面印字を行う機能を有する画像形成装置において、１回目の印字の前後の記録紙長を計測し、得られた情報を基に２回目の印字の書き込み倍率を演算するようにしたので、第１面に印字された出力画像の倍率と、第２面に印字された出力画像の倍率を合わせることができ、両面で違和感のない画像を得ることができる。
【図面の簡単な説明】
【図１】本発明の実施の形態に係る画像形成装置の構成図である。
【図２】本発明の実施の形態に係る画像形成装置の機能ブロック図である。
【図３】本発明のレジストセンサと排紙センサのタイミングチャートである。
【図４】本発明の動作フローチャートである。
【符号の説明】
２３  レジストセンサ計測手段
２４  排紙センサ計測手段
２６  演算手段
【図１】
2004163545.tif 000003
【図２】
2004163545.tif 000004
【図３】
2004163545.tif 000005
【図４】
2004163545.tif 000006